【手続補正書】
【提出日】平成18年7月24日(2006.7.24)
【手続補正１】
【補正対象書類名】明細書
【補正対象項目名】発明の名称
【補正方法】変更
【補正の内容】
【発明の名称】光電変換装置及び液晶表示装置
【手続補正２】
【補正対象書類名】明細書
【補正対象項目名】特許請求の範囲
【補正方法】変更
【補正の内容】
【特許請求の範囲】
【請求項１】  複数の半導体素子又は／及び配線が等ピッチＰで配された熱膨張係数ａの第１の基板と、該第１の基板と対向して接着手段によって貼り合わされた熱膨張係数ｂの第２の基板と、を有する光電変換装置において、
前記第１の基板上に配された複数の前記半導体素子又は／及び前記配線の配列方向の距離をＬとし、前記光電変換装置の温度保証範囲の幅をＴとしたとき、
−Ｐ／２＜ＬＴ（ａ−ｂ）＜Ｐ／２
の関係を満たす光電変換装置。
【請求項２】  請求項１に記載の光電変換装置において、前記熱膨張係数ａと前記熱膨張係数ｂとが異なる光電変換装置。
【請求項３】  請求項１に記載の光電変換装置において、前記第１の基板が複数である光電変換装置。
【請求項４】  請求項１に記載の光電変換装置において、前記接着手段は変形可能な接着剤である光電変換装置。
【請求項５】  請求項１に記載の光電変換装置において、前記半導体素子は光電変換素子又は薄膜トランジスタを含む光電変換装置。
【請求項６】  請求項１に記載の光電変換装置において、前記半導体素子は光電変換素子を含み、該光電変換素子の光入射側には波長変換体を有する光電変換装置。
【請求項７】  請求項６に記載の光電変換装置において、前記波長変換体は蛍光体を有する光電変換装置。
【請求項８】  請求項６に記載の光電変換装置において、前記温度保証範囲の幅は８０℃である光電変換装置。
【請求項９】  請求項８に記載の光電変換装置において、前記温度保証範囲は−３０℃〜５０℃である光電変換装置。
【請求項１０】  複数の半導体素子又は／及び配線が等ピッチＰで配された熱膨張係数ａの第１の基板と、該第１の基板と対向して接着手段によって貼り合わされた熱膨張係数ｂの第２の基板と、を有する液晶表示装置において、
前記第１の基板上に配された複数の前記半導体素子又は／及び前記配線の配列方向の距離をＬとし、前記液晶表示装置の温度保証範囲の幅をＴとしたとき、
−Ｐ／２＜ＬＴ（ａ−ｂ）＜Ｐ／２
の関係を満たす液晶表示装置。
【請求項１１】  請求項１０に記載の液晶表示装置において、前記熱膨張係数ａと前記熱膨張係数ｂとが異なる液晶表示装置。
【請求項１２】  請求項１０に記載の液晶表示装置において、前記接着手段は変形可能な接着剤である液晶表示装置。
【請求項１３】  請求項１０に記載の液晶表示装置において、前記温度保証範囲の幅は８０℃である液晶表示装置。
【請求項１４】  請求項１０に記載の液晶表示装置において、前記温度保証範囲は−３０℃〜５０℃である液晶表示装置。
【手続補正３】
【補正対象書類名】明細書
【補正対象項目名】０００１
【補正方法】変更
【補正の内容】
【０００１】
【発明の属する技術分野】
本発明は、画像処理装置に係わり、特に光センサー、液晶ディスプレイなどの画像情報を読み取り又は表示処理する光電変換装置又は液晶表示装置に関するものである。
【手続補正４】
【補正対象書類名】明細書
【補正対象項目名】０００５
【補正方法】変更
【補正の内容】
【０００５】
図７は、貼り合わせにより作製される波長変換体を有する光電変換装置であるＸ線センサーの一例の模式的断面図を示したものである。図７において、３０１は無アルカリガラスなどの基体を有するセンサーパネル、３０２はセンサーパネル３０１の４枚を定位置に固定すると共に、下面に配設した電気実装部を保護するためのＸ線吸収用の鉛などを有する基台、３０３はセンサーパネル３０１と基台３０２とを貼り合わせるための第１の接着層、３０５はＸ線を可視光に変換するための波長変換体としての蛍光板、３０４は蛍光板３０５をセンサーパネル３０１に貼り合わせるためのゲル状の第２の接着層、３０７はセンサーパネル３０１駆動用のプリント基板、３０６はプリント基板３０７とセンサーパネル３０１とを接続するためのフレキシブル基板である。以上の３０１〜３０７の各部材によってＸ線センサー部３３０が形成されている。
【手続補正５】
【補正対象書類名】明細書
【補正対象項目名】００１２
【補正方法】変更
【補正の内容】
【００１２】
そこで、本発明は、特に大画面の画像処理装置である光電変換装置又は液晶表示装置において、温度変化があっても貼り合わせたセンサーパネル間のピッチズレや対向するパネル間でのピッチズレを抑制する構造を提供することを課題とする。
【手続補正６】
【補正対象書類名】明細書
【補正対象項目名】００１５
【補正方法】変更
【補正の内容】
【００１５】
【課題を解決するための手段】
加えて、本発明は、複数の半導体素子又は／及び配線が等ピッチＰで配された熱膨張係数ａの第１の基板と、該第１の基板と対向して接着手段によって貼り合わされた熱膨張係数ｂの第２の基板と、を有する光電変換装置において、前記第１の基板上に配された複数の前記半導体素子又は／及び前記配線の配列方向の距離をＬとし、前記光電変換装置の温度保証範囲の幅をＴとしたとき、−Ｐ／２＜ＬＴ（ａ−ｂ）＜Ｐ／２の関係を満たす光電変換装置を提供する。
また、本発明は、複数の半導体素子又は／及び配線が等ピッチＰで配された熱膨張係数ａの第１の基板と、該第１の基板と対向して接着手段によって貼り合わされた熱膨張係数ｂの第２の基板と、を有する液晶表示装置において、前記第１の基板上に配された複数の前記半導体素子又は／及び前記配線の配列方向の距離をＬとし、前記液晶表示装置の温度保証範囲の幅をＴとしたとき、−Ｐ／２＜ＬＴ（ａ−ｂ）＜Ｐ／２の関係を満たす液晶表示装置を提供する。
【手続補正７】
【補正対象書類名】明細書
【補正対象項目名】００１９
【補正方法】変更
【補正の内容】
【００１９】
加えて、本発明は、より短い開発期間で設計可能になり、使用する材質も要求性能とコストに合わせて適切に選択可能とすることにより、よりコストパフォーマンスに優れた光電変換装置又は液晶表示装置を提供する。
【手続補正８】
【補正対象書類名】明細書
【補正対象項目名】００２３
【補正方法】変更
【補正の内容】
【００２３】
例えば、小さなエリアセンサーパネルを２枚貼り合わせていくことを考えた場合の光電変換装置の一例を図１に模式的斜視図として示す。４０１及び４０２は等ピッチＰで二次元に並ぶエリアセンサーパネル、４０３は基台、４０４はエリアセンサーパネル４０１，４０２と基台４０３とを貼り合わせるための接着剤である。
【手続補正９】
【補正対象書類名】明細書
【補正対象項目名】００２４
【補正方法】変更
【補正の内容】
【００２４】
エリアセンサーパネル４０１，４０２の画素エリアをＬ×Ｌ、線膨張係数をａ、また基台４０３は、線膨張係数をｂとしている。図１に示すように、エリアセンサーパネル４０１，４０２間における画素ピッチＰ１は、センサーピッチＰに等しい。図１の模式的断面が図２（ａ）である。このような構造の光電変換装置に対して、温度変化が生ずると、上部の２枚のエリアセンサーパネル４０１，４０２は、それぞれの中心に対して等量づつ広がろうとするので下部の基台４０３に対してＡ、Ｂでの相対位置は変わらない。
【手続補正１０】
【補正対象書類名】明細書
【補正対象項目名】００２５
【補正方法】変更
【補正の内容】
【００２５】
このため、光電変換装置に温度差Ｔが生じたときの膨張収縮による両エリアセンサーパネル４０１，４０２間のピッチＰ１の変化を考える場合はＡ−Ｂ間のみを考えればよい。
【手続補正１１】
【補正対象書類名】明細書
【補正対象項目名】００４２
【補正方法】変更
【補正の内容】
【００４２】
（実施例２）
図４は、本発明の好適な実施例として、ポリシリコンＴＦＴ（多結晶シリコン薄膜トランジスタ）を有する液晶ディスプレイユニット（液晶表示装置）の模式的断面を示した図である。図４において、２０１は熱膨張率４．７×１０-6／℃の無アルカリガラスよりなる第１の液晶駆動用配線基板（第１の基板）、２０２は熱膨張率５．１×１０-6／℃の低アルカリガラスよりなる第２の液晶駆動用配線基板（第２の基板）、２０３は液晶の封止と、２枚の液晶駆動用配線基板２０１，２０２を貼り合わせるための封止剤、２０４は液晶である。
【手続補正１２】
【補正対象書類名】明細書
【補正対象項目名】００４９
【補正方法】変更
【補正の内容】
【００４９】
（実施例３）
図５は本発明の好適な実施例として、波長変換体を有する光電変換装置である車載用Ｘ線センサーユニットの一例の模式的断面を示した図である。図５において、６０１は熱膨張率１．０×１０-5の青板ガラスよりなるセンサーパネル（第１の基板）、６０２は４枚のセンサーパネル６０１を定位置に固定するための熱膨張率１．０３×１０-5のＳＵＳ４３０よりなる基台（第２の基板）、６０３はセンサーパネル６０１と基台６０２とを貼り合わせるための第１の接着層である。
【手続補正１３】
【補正対象書類名】明細書
【補正対象項目名】００５９
【補正方法】変更
【補正の内容】
【００５９】
（実施例４）
図６は、本発明の好適な実施例として、波長変換体を有する光電変換装置であるＸ線センサーユニットの断面を示した図である。図６において、７０１は熱膨張率４．７×１０-6／℃の無アルカリガラスよりなるセンサーパネル（第１の基板）、７０２は４枚のセンサーパネル７０１を定位置に固定するための同じく無アルカリガラスからなる基台（第２の基板）、７０３はセンサーパネル７０１と基台７０２とを貼り合わせるための第１の接着層である。
【手続補正１４】
【補正対象書類名】明細書
【補正対象項目名】００７０
【補正方法】変更
【補正の内容】
【００７０】
また、本発明によれば、要求性能に合った材質を選択することが容易になるため、不要な高コスト化を防止することができ、より安価でコストパフォーマンスに優れた光電変換装置又は液晶表示装置を提供することができる。
【手続補正１５】
【補正対象書類名】明細書
【補正対象項目名】図面の簡単な説明
【補正方法】変更
【補正の内容】
【図面の簡単な説明】
【図１】
本発明の実施例１の光電変換装置の配置例を説明するための模式的斜視図である。
【図２】
図１の模式的断面図である。
【図３】
実施例１のＸ線センサーユニットの断面図である。
【図４】
実施例２の液晶表示装置の一例を説明するための模式的断面図である。
【図５】
実施例３の光電変換装置の一例を説明するための模式的断面図である。
【図６】
実施例４の光電変換装置の一例を説明するための模式的断面図である。
【図７】
従来の光電変換装置の一例を説明するための模式的断面図である。
【符号の説明】
１０１、６０１、７０１  センサーパネル（第１の基板）
１０２、６０２、７０２  基台（第２の基板）
１０３、６０３、７０３  第１の接着層
１０４、６０４、７０４  第２の接着層
１０５、６０５、７０５  蛍光板
１０６、６０６、７０６  フレキシブル基板
１０７、６０７、７０７  プリント基板
１１０、２１０、２１１、６１０、７１０  緩衝材
１１１、６１１、７１１  支持材
１２０、６２０、７２０  匡体
１２１、６２１、７２１  蓋
１２３、６２３、７２３  カバー
１２４、２２２、６２４、７２４  足
１２５、７２５  アングル
１３０、６３０、７３０  Ｘ線センサー部
１４０、６４０、７４０  シャーシ部
２０１  第１の液晶駆動用配線基板
２０２  第２の液晶駆動用配線基板
２０３  封止剤
２０４  液晶
２０５  接着層
２０６  偏光板
２０７  バックライト
２０８  フレキシブル基板
２０９  プリント基板
２２０  バックボディー
２２１  フロントボディー
２３０  液晶ディスプレイパネル
６２２  プレート